(57)【要約】      （修正有）【課題】飲食物の入った食器を安定姿勢で保持することができると共に、容易に携帯して持ち運ぶことのできるトレイを提供する。【解決手段】樹脂製のシート材で形成され、空気注入口１１から注入される空気によって立体形状を形成すると共に、上面部に、容器を上方から嵌入載置するための凹部１２を形成するトレイ本体１０を備える。また、樹脂製のシート材で形成され、エアー注入口２１から注入される空気によって、トレイ本体１０の下面中央部に前後方向に沿って配置される大きさの立体形状を形成し、面ファスナーによって、トレイ本体１０の下面に着脱自在に取付けられる保持体２０を備える。【選択図】図１
0003169947.tif 000002
【実用新案登録請求の範囲】
【請求項１】
野球場などにおいて，飲食物の入った容器を保持するトレイであって、樹脂製のシート材で形成され，その一部に設けられた空気注入口（１１）から注入される空気によって立体形状を形成すると共に，上面部に，容器（Ｃ）を上方から嵌入載置するための凹部（１２）を形成し，下面の中央部に第一の面ファスナー（１３）を有するトレイ本体（１０）と、樹脂製のシート材で形成され，その一部に設けられたエアー注入口（２１）から注入される空気によって，前記トレイ本体の下面中央部に前後方向に沿って配置される大きさの立体形状を形成し，その上面に，前記第一の面ファスナーに係合する第二の面ファスナー（２２）を有し，該第二の面ファスナーを前記第一の面ファスナーに係合することによって，前記トレイ本体に着脱自在に取付けられる保持体（２０）と、を備えることを特徴とする携帯トレイ。
【請求項２】
野球場などにおいて，飲食物の入った容器を保持するトレイであって、樹脂製のシート材で形成され，その一部に設けられた空気注入口（１１）から注入される空気によって立体形状を形成すると共に，上面部に，容器（Ｃ）を上方から嵌入載置するための凹部（１２）を形成し，下面の中央部に第一の面ファスナー（１３）を有するトレイ本体（１０）と、樹脂製のシート材で形成され，その一部に設けられたエアー注入口（２１）から注入される空気によって，前記トレイ本体の下面中央部に前後方向に沿って配置される大きさの立体形状を形成し，その上面に，前記第一の面ファスナーに係合する第二の面ファスナー（２２）を有し，該第二の面ファスナーを前記第一の面ファスナーに係合することによって，前記トレイ本体に着脱自在に取付けられる保持体（２０）と、前記トレイ本体の左右両側に設けられた把手部（３０）と、前記左右両側の把手部の間にわたって設けられ，使用者（Ｐ）の首や肩に掛けられるバンド部（４０）と、前記トレイ本体および保持体を，空気を抜いた肉薄状態で折り畳んで収納する収納袋（５０）と、前記収納袋に巻回された状態で収納される肉薄なパネル状で，おもて側に応援メッセージを記載できる記載面（６０ａ）を有し，裏側に，前記第一の面ファスナーに係合する第三の面ファスナー（６１）を有する応援パネル（６０）と、前記トレイ本体の側面に設けられたティッシュ入れ部（７０）と、を備えることを特徴とする携帯トレイ。
【考案の詳細な説明】
【技術分野】
【０００１】
本考案は、例えば、野球場の客席など、テーブルが設けられていない場所でも飲食物を入れた容器を安定姿勢で保持するトレイとして使用でき、かつ、応援グッズとしても使用することのできる携帯式のトレイに関するものである。
【背景技術】
【０００２】
通常、野球場の殆どの客席にはテーブルが設けられていない。従って、そうした客席に座った状態で飲食するには、その間中、食器を手で保持しておく必要がある。こうした状態では、拍手などによる応援ができないので不便である。また、手で保持している食器を落としたり、倒してしまうこともある。さらに、飲食物の入った容器を、売店から客席まで運ぶ際に、人や物と接触して落としてしまうこともある。
【０００３】
こうした問題を解決するために、配膳用のトレイ（例えば、特許文献１参照）を使用することが考えられる。
【先行技術文献】
【特許文献】
【０００４】
【特許文献１】特開２００６−１０２３６９号公報
【考案の概要】
【考案が解決しようとする課題】
【０００５】
しかし、配膳用のトレイは平坦状であるため、その上に置かれた食器は不安定である。従って、この場合も、食器を倒したり、落としてしまう危険性がある。
【０００６】
また、一般に、配膳のトレイは、金属や硬質樹脂などの硬質材で形成されているので折り畳むことができず、携帯するには極めて不便である。従って、例えば、自宅から野球場まで持ち運び、そこで使用することは困難である。
【０００７】
本考案はこうした問題に鑑み創案されたもので、例えば、野球場の客席など、テーブルが設けられていない場所でも、飲食物の入った食器を安定姿勢で保持することができると共に、容易に携帯して持ち運ぶことのできるトレイを提供することを課題とする。
【課題を解決するための手段】
【０００８】
図１乃至図９を参照して説明する。請求項１に記載の携帯トレイ１は、野球場などにおいて、飲食物の入った容器を保持するために使用されるものである。この携帯トレイ１は、樹脂製のシート材で形成され、その一部に設けられた空気注入口１１から注入される空気によって立体形状を形成すると共に、上面部に、容器Ｃを上方から嵌入載置するための凹部１２を形成し、下面の中央部に第一の面ファスナー１３を有するトレイ本体１０を備える。
【０００９】
また、この携帯トレイ１は、樹脂製のシート材で形成され、その一部に設けられたエアー注入口２１から注入される空気によって、前記トレイ本体１０の下面中央部に前後方向に沿って配置される大きさの立体形状を形成し、その上面に、前記第一の面ファスナー１３に係合する第二の面ファスナー２２を有し、この第二の面ファスナー２２を前記第一の面ファスナー１３に係合することによって、前記トレイ本体１０に着脱自在に取付けられる保持体２０を備える。
【００１０】
請求項２に記載の携帯トレイ１は、野球場などにおいて、飲食物の入った容器を保持するものであり、樹脂製のシート材で形成され、その一部に設けられた空気注入口１１から注入される空気によって立体形状を形成すると共に、上面部に、容器Ｃを上方から嵌入載置するための凹部１２を形成し、下面の中央部に第一の面ファスナー１３を有するトレイ本体１０を備える。
【００１１】
また、この携帯トレイ１は、樹脂製のシート材で形成され、その一部に設けられたエアー注入口２１から注入される空気によって、前記トレイ本体１０の下面中央部に前後方向に沿って配置される大きさの立体形状を形成し、その上面に、前記第一の面ファスナー１３に係合する第二の面ファスナー２２を有し、この第二の面ファスナー２２を前記第一の面ファスナー１３に係合することによって、前記トレイ本体１０に着脱自在に取付けられる保持体２０を備える。
【００１２】
さらに、この携帯トレイ１は、前記トレイ本体１０の左右両側に設けられた把手部３０と、前記左右両側の把手部３０の間にわたって設けられ、使用者Ｐの首や肩に掛けられるバンド部４０と、前記トレイ本体１０および保持体２０を、空気を抜いた肉薄状態で折り畳んで収納する収納袋５０と、前記収納袋５０に巻回された状態で収納される肉薄なパネル状で、おもて側に応援メッセージを記載できる記載面６０ａを有し、裏側に、前記第一の面ファスナー１３に係合する第三の面ファスナー６１を有する応援パネル６０と、前記トレイ本体１０の側面に設けられたティッシュ入れ部７０と、を備える。
【考案の効果】
【００１３】
請求項１に記載の携帯トレイ１は、上面部に容器Ｃを嵌入載置する凹部１２を有するトレイ本体１０と、そのトレイ本体１０の下面中央部に、第一の面ファスナー１３および第二の面ファスナー２２を介して取付けられる保持体２０とで構成されるので、飲食物を入れた容器Ｃを安定姿勢で保持することができる。すなわち、容器Ｃを、トレイ本体１０の凹部１２に嵌入載置すると共に、保持体２０を、両脚Ｐ１で挟持することによって、容器Ｃの落下や転倒を防止することができる。
【００１４】
また、このトレイ本体１０と保持体２０は、共に、樹脂製のシート材で形成され、空気を注入することによって立体形状を形成するので、空気を抜いた原形状態では肉薄形状を形成する。従って、折り畳んだ状態で容易に携帯して持ち運ぶことができる。
【００１５】
請求項２に記載の携帯トレイ１は、請求項１に記載の考案と同様に、容器Ｃを安定姿勢で保持することができると共に、容易に携帯して持ち運ぶことができる。
【００１６】
また、この携帯トレイ１は、把手部３０とバンド部４０を備えるので、バンド部４０を肩や首に掛けた状態でトレイ本体１０を安定姿勢で保持することができる。これにより、例えば、売店から客席Ｓまで、飲食物の入った容器Ｃを落としたり、倒すことなく運ぶことができる。また、客席Ｓにおいて、バンド部４０を肩や首に掛けた状態のままで、容器Ｃに入った飲食物を食することもできる。
【００１７】
また、この携帯トレイ１は、収納袋５０を備えるので、その中に、トレイ本体１０および保持体２０を折り畳んだ状態で収納して、携帯することができる。さらに、応援パネル６０を備えるので、この応援パネル６０をトレイ本体１０の下面に、第一ファスナーおよび第三ファスナーを介して取付けることによって、当該応援パネル６０の記載面６０ａに記載した応援メッセージを選手に届けることができる。また、ティッシュ入れ部７０を備えるので、そこに収納したティシュペーパーＴなどを容易に取り出して、使用することができる。
【図面の簡単な説明】
【００１８】
【図１】本考案に係る携帯トレイの実施携帯を示す斜視図である（トレイ本体と保持体の空気注入前と注入後の状態を示す）。
【図２】図１に示す携帯トレイ（空気注入後の状態）の平面図である。
【図３】図１に示す携帯トレイの正面図である。
【図４】図２のＸ−Ｘ線断面図である。
【図５】図１に示す携帯トレイの右側面図である。
【図６】図１に示すトレイ本体部に応援パネルを取付ける前の状態を示す斜視図である。
【図７】図３のＹ−Ｙ線断面図である。
【図８】本考案に係る携帯トレイの収納袋を示す側面図である。
【図９】図８のＺ−Ｚ線断面図である。
【考案を実施するための形態】
【００１９】
本考案に係る形態トレイの実施形態を、図１乃至図９に示す。この携帯トレイ１は、野球場において使用するものであり、トレイ本体１０と保持体２０を備える。トレイ本体１０は、合成樹脂製（ビニール製）で柔軟な肉薄のシート材で形成され、その一部（下面）に設けられた空気注入口１１から注入される空気によって立体形状を形成すると共に、上面部に、容器Ｃを上方から嵌入載置するための複数の凹部１２を形成する（図１および図２参照）。立体形状を形成したトレイ本体１は、利用者Ｐの膝の上に載置される大きさを備える（前後長さ２５ｃｍ程度、左右幅５０ｃｍ程度、高さ１０ｃｍ程度）。
【００２０】
空気注入口１１は逆止弁機能（図示せず）を備えると共に、この空気注入口１１には空気栓１５が密に嵌入される（図３参照）。これにより、トレイ本体１０の内部の空気が漏れるのを防止している。
【００２１】
この凹部１２の内径は、容器Ｃの外径よりやや大きく設定されると共に、内方に突出する膨出部１２ａを備えている。この膨出部１２ａを容器Ｃの外周面に弾接させることによって、容器Ｃを安定姿勢で保持するようにしている（図２および図４参照）。凹部１２の内径や深さ、あるいは形状は限定されず、嵌入載置する容器Ｃの外径や形状等に応じて適宜設定する。また、凹部１２の数も限定されない。なお、このトレイ本体１０の下面の中央部には、第一の面ファスナー１３が取付けられている。
【００２２】
保持体２０は、同じく合成樹脂製（ビニール製）で柔軟な肉薄のシート材で形成され、その一部（側面）に設けられたエアー注入口２１から注入される空気によって立体形状を形成する。立体形状を形成した保持体２０は、トレイ本体１０の下面中央部に前後方向に沿って配置されるものであり、使用者Ｐの両脚Ｐ１の間に挟持される大きさを備えている（図３および図５参照）（前後長さ１５ｃｍ程度、左右幅７ｃｍ程度、高さ１５ｃｍ程度）。なお、この大きさは限定されない。
【００２３】
保持体２０の上面には、第一の面ファスナー１３に係合する第二の面ファスナー２２が設けられており、この第二の面ファスナー２２を第一の面ファスナー１３に係合することによって、当該保持体２０を、トレイ本体１０の下面に着脱自在に取付ける。
【００２４】
エアー注入口２１は逆止弁機能（図示せず）を備えると共に、このエアー注入口２１にはエアー栓２３が密に嵌入される。これにより、保持体２０内部の空気が漏れるのを防止している。
【００２５】
本実施形態の携帯トレイ１は、さらに、把手部３０、バンド部４０、収納袋５０、応援パネル６０、およびティッシュ入れ部７０を備える。
【００２６】
把手部３０は、トレイ本体１０より硬質の樹脂材で形成されており、トレイ本体１０の左右両側の側面に一体的に設けられている。従って、この把手部３０を掴んでトレイ本体１０を持ち上げることができる。
【００２７】
バンド部４０は、可撓性に富む紐状の軟質材で形成されており、左右両側の把手部３０間に、両者を掛け渡すように設けられ、使用者Ｐの首や肩などに掛けられる。
【００２８】
収納袋５０は、軟質合成樹脂製（ビニール製）で柔軟な肉薄のシート材で形成され、その内部に、トレイ本体１０および保持体２０を、空気を抜いた肉薄状態で折り畳んで収納することができる（図８および図９参照）。この収納袋５０は、袋本体部５１と蓋部５２とで構成され、両者の間にファスナー５３を設け、このファスナー５３を操作することによって、蓋部５２を開閉する。
【００２９】
応援パネル６０は、収納袋５０に巻回された状態で収納される弾性に富む薄板状であり、そのおもて側には応援メッセージを自由に記載することができる平滑な記載面６０ａを有する（図６参照）。この記載面６０ａは、記載した文字等を自在に消して、繰り返し記載できる材質で形成することができる。また、応援パネル６０の裏側には、第一の面ファスナー１３に係合する第三の面ファスナー６１が取付けられている。
【００３０】
この応援パネル６０は弾性に富むので、丸めた状態で収納袋５０に収納することができる（図９参照）。また、この状態では、その弾性力によって収納袋５０の内部を広げて収納空間を大きくするので、空気を抜いたトレイ本体１０や保持体２０を容易に収納袋５０に収納することができる。
【００３１】
ティッシュ入れ部７０は、トレイ本体１０の側面（前面部）に設けられている。このティッシュ入れ部７０は、横方向にスリット７２を形成したシート片７１の上端部をトレイ本体１０に固定し、その下端部に第五の面ファスナー７３を設けている（図７参照）。この第五の面ファスナー７３を、トレイ本体１０に取付けた第四の面ファスナー１４に係合することによって、シート片７１とトレイ本体１０の側面との間にティッシュペーパー（ウエットティッシュを含む）Ｔを入れることのできる空隙（ティッシュ入れ部７０）を形成している。なお、このティッシュペーパーＴは、飲食中などの必要時にスリット７２から容易に取り出すことができる。
【００３２】
本実施形態に係る携帯トレイ１は、上面部に容器Ｃを嵌入載置する凹部１２を有するトレイ本体１０と、そのトレイ本体１０の下面中央部に、第一の面ファスナー１３および第二の面ファスナー２２を介して取付けられる保持体２０とを備えている。従って、飲食物を入れた容器Ｃを、トレイ本体１０の凹部１２に嵌入載置すると共に、保持体２０を、両脚Ｐ１で挟持することによって、容器Ｃの落下や転倒を防止することができる。これにより、飲食物を入れた容器Ｃを、手を使うことなく、安定姿勢で保持することができる。
【００３３】
また、このトレイ本体１０と保持体２０は、共に、樹脂製で肉薄のシート材で形成され、空気を抜いた原形状態では肉薄形状を形成するので、折り畳んだ状態で容易に携帯することができる。
【００３４】
また、この携帯トレイ１は、把手部３０とバンド部４０を備えているので、バンド部４０を肩や首に掛けた状態でトレイ本体１０を持ち運ぶことができる。これにより、野球場の売店から客席Ｓまで、飲食物の入った容器Ｃを落としたり、倒すことなく運ぶことができる。また、客席Ｓにおいて、バンド部４０を肩や首に掛けた状態のままで、容器Ｃに入った飲食物を食することもできる。
【００３５】
また、この携帯トレイ１は、収納袋５０を備えているので、トレイ本体１０および保持体２０を折り畳んだ状態で収納して、携帯することができる。さらに、応援パネル６０を備えているので、この応援パネル６０をトレイ本体１０の下面に、第一ファスナーおよび第三ファスナーを介して取付けることによって、当該応援パネル６０のおもて面に記載した応援メッセージを選手に届けることができる。また、ティッシュ入れ部７０を備えているので、そこに収納したティシュペーパーなどを容易に取り出して、使用することができる。
【００３６】
この携帯トレイ１は、空気を充填し且つ保持体２０の無い状態で、底面を前側にして、腰掛けている観客と背凭れの間に挟めば、観客はリラックスした状態で観戦することが出来る。
【００３７】
なお、本実施形態に係る携帯トレイ１は野球場で使用するものであるが、本考案はこれに限定されるものではなく、サッカー場や公園などの他の場所においても同様に使用することができる。
【符号の説明】
【００３８】
１        携帯トレイ
１０      トレイ本体
１１      空気注入口
１２      凹部
１２ａ    膨出部
１３      第一の面ファスナー
１４      第四の面ファスナー
１５      空気栓
２０      保持体
２１      エアー注入口
２２      第二の面ファスナー
２３      エアー栓
３０      把手部
４０      バンド部
５０      収納袋
５１      袋本体部
５２      蓋部
５３      ファスナー
６０      応援パネル
６０ａ    記載面
６１      第三の面ファスナー
７０      ティッシュ入れ部
７１      シート片
７２      スリット
７３      第五の面ファスナー
Ｃ        容器
Ｐ        使用者
Ｐ１      脚
Ｓ        客席
Ｔ        ティッシュペーパー
【図１】
0003169947.tif 000003
【図２】
0003169947.tif 000004
【図３】
0003169947.tif 000005
【図４】
0003169947.tif 000006
【図５】
0003169947.tif 000007
【図６】
0003169947.tif 000008
【図７】
0003169947.tif 000009
【図８】
0003169947.tif 000010
【図９】
0003169947.tif 000011